【手続補正書】
【提出日】平成18年7月28日(2006.7.28)
【手続補正１】
【補正対象書類名】特許請求の範囲
【補正対象項目名】全文
【補正方法】変更
【補正の内容】
【特許請求の範囲】
【請求項１】
ヘッドユニットと、
該ヘッドユニットに接続されたデコーダであって、該デコーダは、該ヘッドユニットからのオーディオ信号に応答して、デコード化信号を生成する、デコーダと、
該ヘッドユニットに接続されたクロスバーマトリクスミキサーであって、該クロスバーマトリクスミキサーは、該ヘッドユニットからの該オーディオ信号を受信し、該クロスバーマトリクスミキサーは、該デコーダからの該デコード化信号を受信し、該クロスバーマトリクスミキサーは、該オーディオ信号と該デコード化信号とに応答して、混合出力信号を生成する、クロスバーマトリクスミキサーと、
該クロスバーマトリクスミキサーに接続された少なくとも１つのフィルタであって、該少なくとも１つのフィルタは、所定のボリュームレベルに応答して、該オーディオ信号および該混合出力信号のうちの少なくとも一方の印加フィルタゲインを減衰する、少なくとも１つのフィルタと
を備える、サウンド処理システム。
【請求項２】
前記所定のボリュームレベルは高いボリュームレベルである、請求項１に記載のサウンド処理システム。
【請求項３】
前記所定のボリュームレベルは音圧レベルである、請求項１に記載のサウンド処理システム。
【請求項４】
前記少なくとも１つのフィルタは、前記ヘッドユニットと前記クロスバーマトリクスミキサーとの間に接続されたプレフィルタを備え、該プレフィルタは、前記オーディオ信号の前記印加フィルタゲインを減衰する、請求項１に記載のサウンド処理システム。
【請求項５】
前記少なくとも１つのフィルタは、ポストフィルタを備え、該ポストフィルタは、前記混合出力信号の前記印加フィルタゲインを減衰する、請求項１に記載のサウンド処理システム。
【請求項６】
前記ポストフィルタに接続されたマイクロフォンをさらに備え、該マイクロフォンは、該ポストフィルタに音圧レベル情報を提供し、前記所定のボリュームレベルは音圧レベルである、請求項５に記載のサウンド処理システム。
【請求項７】
前記ヘッドユニットと前記クロスバーマトリクスミキサーとの間に接続されたプレフィルタをさらに備え、該プレフィルタは、前記オーディオ信号の前記印加フィルタゲインを減衰する、請求項５に記載のサウンド処理システム。
【請求項８】
前記ポストフィルタに接続されたマイクロフォンをさらに備え、該マイクロフォンは、前記プレフィルタと該ポストフィルタとに音圧レベル情報を提供し、前記所定のボリュームレベルは音圧レベルである、請求項７に記載のサウンド処理システム。
【請求項９】
ヘッドユニットと、
該ヘッドユニットに接続されたデコーダであって、該デコーダは、該ヘッドユニットからのオーディオ信号に応答して、デコード化信号を生成する、デコーダと、
該ヘッドユニットに接続されたクロスバーマトリクスミキサーであって、該クロスバーマトリクスミキサーは、該ヘッドユニットからの該オーディオ信号を受信し、該クロスバーマトリクスミキサーは、該デコーダからの該デコード化信号を受信し、該クロスバーマトリクスミキサーは、該オーディオ信号と該デコード化信号とに応答して、混合出力信号を生成する、クロスバーマトリクスミキサーと、
該クロスバーマトリクスミキサーに接続された少なくとも１つのフィルタであって、該少なくとも１つのフィルタは、所定のボリュームレベルに応答して、該オーディオ信号および該混合出力信号のうちの少なくとも一方のトーンを減衰する、少なくとも１つのフィルタと
を備える、サウンド処理システム。
【請求項１０】
前記トーンは、バス、トレブル、およびミッドレンジのうちの少なくとも１つである、請求項９に記載のサウンド処理システム。
【請求項１１】
前記所定のボリュームレベルは高いボリュームレベルである、請求項９に記載のサウンド処理システム。
【請求項１２】
前記所定のボリュームレベルは音圧レベルである、請求項９に記載のサウンド処理システム。
【請求項１３】
前記少なくとも１つのフィルタは、前記ヘッドユニットと前記クロスバーマトリクスミキサーとの間に接続されたプレフィルタを備え、該プレフィルタは、前記オーディオ信号の前記トーンを減衰する、請求項９に記載のサウンド処理システム。
【請求項１４】
前記少なくとも１つのフィルタは、ポストフィルタを備え、該ポストフィルタは、前記混合出力信号の前記トーンを減衰する、請求項９に記載のサウンド処理システム。
【請求項１５】
前記ポストフィルタに接続されたマイクロフォンをさらに備え、該マイクロフォンは、該ポストフィルタに音圧レベル情報を提供し、前記所定のボリュームレベルは音圧レベルである、請求項１４に記載のサウンド処理システム。
【請求項１６】
前記ヘッドユニットと前記クロスバーマトリクスミキサーとの間に接続されたプレフィルタをさらに備え、該プレフィルタは、前記オーディオ信号の前記トーンを減衰する、請求項１４に記載のサウンド処理システム。
【請求項１７】
前記ポストフィルタに接続されたマイクロフォンをさらに備え、該マイクロフォンは、前記プレフィルタと該ポストフィルタとに音圧レベル情報を提供し、前記所定のボリュームレベルは音圧レベルである、請求項１６に記載のサウンド処理システム。
【請求項１８】
オーディオ信号に応答してデコード化信号を生成することと、
該デコード化信号と該オーディオ信号とに応答して混合出力信号を生成することと、
ボリュームレベルを感知することと、
該感知されたボリュームレベルが所定のレベル以上であるときのみに、該オーディオ信号および該混合出力信号のうちの少なくとも一方の印加フィルタゲインを減衰することと、
該オーディオ信号および該混合出力信号のうちの少なくとも一方を提供し、２つ以上のラウドスピーカを駆動することと
を包含する、サウンド処理方法。
【請求項１９】
前記所定のレベルは高いボリュームレベルである、請求項１８に記載のサウンド処理方法。
【請求項２０】
前記所定のレベルは音圧レベルである、請求項１８に記載のサウンド処理方法。
【請求項２１】
オーディオ信号に応答してデコード化信号を生成することと、
該デコード化信号と該オーディオ信号とに応答して混合出力信号を生成することと、
所定のボリュームレベルに応答して、該オーディオ信号および該混合出力信号のうちの少なくとも一方のトーンを減衰することと
を包含する、サウンド処理方法。
【請求項２２】
前記トーンは、バス、トレブル、およびミッドレンジのうちの少なくとも１つである、請求項２１に記載のサウンド処理方法。
【請求項２３】
前記所定のボリュームレベルは高いボリュームレベルである、請求項２１に記載のサウンド処理方法。
【請求項２４】
前記所定のボリュームレベルは音圧レベルである、請求項２１に記載のサウンド処理方法。
【請求項２５】
ヘッドユニットと、
該ヘッドユニットに電気的に結合され、該ヘッドユニットからのオーディオ信号に応答してデコード化信号を生成するように構成されたデコーダと、
該ヘッドユニットと該デコーダとに電気的に結合されたクロスバーマトリクスミキサーであって、該クロスバーマトリクスミキサーは、該ヘッドユニットからの該オーディオ信号を受信するように構成され、該クロスバーマトリクスミキサーは、該デコーダからの該デコード化信号を受信するように構成され、該クロスバーマトリクスミキサーは、該デコード化信号に応答して混合出力信号を生成するように構成されている、クロスバーマトリクスミキサーと、
該クロスバーマトリクスミキサーに電気的に結合されており、感知されたボリュームレベルが決定されたレベル以上であるときのみに、複数の混合出力信号のうちの少なくとも１つのトーンをトーンフィルタ減衰するように構成されている、フィルタと、
該フィルタに電気的に結合されたスピーカと
を備える、サウンド処理システム。
【請求項２６】
前記フィルタは、トレブルシェルフフィルタを含む、請求項２５に記載のサウンド処理システム。
【請求項２７】
前記フィルタは、バスシェルフフィルタを含む、請求項２５に記載のサウンド処理システム。
【請求項２８】
前記フィルタは、ノッチフィルタを含む、請求項２５に記載のサウンド処理システム。
【請求項２９】
前記決定されたレベルは高いボリュームレベルである、請求項２５に記載のサウンド処理システム。
【請求項３０】
前記印加フィルタゲインは、ラウドネス補償ゲインである、請求項１８に記載のサウンド処理方法。
【請求項３１】
前記感知されたボリュームレベルは、オーディオシステムのグローバルボリュームセッティングである、請求項１８に記載のサウンド処理方法。
【請求項３２】
前記感知されたボリュームレベルは、オーディオシステムのグローバルボリュームセッティングである、請求項２１に記載のサウンド処理方法。
【請求項３３】
前記決定されたレベルは、前記サウンド処理システムのユーザによって前もってセットされたグローバルボリュームセッティングである、請求項３１に記載のサウンド処理方法。